(57)【特許請求の範囲】
【請求項１】
調理用の容器を開放可能に塞ぐ蓋に用いられ、支持リングで囲まれた柔軟なリング部材であって、
前記リング部材は、
前記蓋の周囲を囲んで軸方向に延びるアキシャル部と、
前記アキシャル部に円周方向に９０°ずつ離れて位置し、それぞれが前記容器の注ぎ縁と一致させることによって４つの異なった注ぎ口の断面が得られる注ぎ部と、
を備え、
前記注ぎ部は、塞がれた注ぎ部と、小さな貫通開口を有する注ぎ部と、大きな貫通開口を有する注ぎ部と、完全に開かれた注ぎ部とされ、
前記支持リングは、前記注ぎ部の各々を表す視認可能な目印を有し、
前記支持リング、前記リング部材及び前記蓋は、互いに分離可能であり、
前記目印が、関連する前記注ぎ部の各々と半径方向に一致するように、前記支持リングに位置決めされているリング部材。
【請求項２】
請求項１に記載のリング部材において、
前記リング部材が、ポリマーを用いて形成されていることを特徴とするリング部材。
【請求項３】
調理用の容器を開放可能に塞ぐ蓋であって、
請求項１又は請求項２に記載のリング部材を有している蓋。
【請求項４】
請求項３に記載の蓋において、
前記リング部材によって囲まれる前記蓋の蓋ベースが、ガラス及び／又はスチールで形成されていることを特徴とする蓋。
【請求項５】
請求項３又は請求項４に記載の蓋において、
前記蓋ベースの上に、把持部材が設けられていることを特徴とする蓋。
【請求項６】
請求項３に記載の蓋において、
前記支持リングは、Ｌ字形状の断面を有し、前記リング部材の上側及び外側に取り付けられていることを特徴とする蓋。
【請求項７】
請求項３〜６のいずれか１つに記載の蓋を有する容器。
【請求項８】
請求項７に記載の容器において、
断熱スリーブによって前記容器の側方に固定される把持部材を少なくとも１つ備えていることを特徴とする容器。
【発明の詳細な説明】
【技術分野】
【０００１】
本発明は、容器を開閉可能に閉じる、特に調理用の平鍋を閉じる蓋の柔軟なリング部材に関する。本発明は、また、そのようなリング部材を有する蓋やそのような蓋を有する容器に関する。
【背景技術】
【０００２】
近年の容器、特に、液体を溜めたり調理したりするために形成された容器は、実質的に半径方向外方に向かって拡がる、一般に注ぎ口とも呼ばれる注ぎ縁をしばしば有している。そのような注ぎ縁は、付属の容器から調整された量を容易に注ぐことを可能にする。
【０００３】
そのような容器を閉じるために、通常は容器の上面の開口に容易に嵌合する付属の蓋がしばしば用いられる。蓋の形状により、容器に嵌合したときには、注ぎ縁は閉じられるか及び／又は少なくとも部分的に覆われる。
【発明の概要】
【発明が解決しようとする課題】
【０００４】
しかし、このような場合、蓋を洗うことや、蓋がそこにある時に注ぎ縁を用いることには、しばしば問題を生じる。
【０００５】
本発明は、そのような蓋を備えることの問題に関するものであり、極めて容易かつ十分に洗浄することができ、その結果として衛生的であるうえ、容器の注ぎ縁の開閉を明確にするものである。
【課題を解決するための手段】
【０００６】
本発明によれば、この問題は、独立項の対象によって解決することができる。有利な具体例は、従属項の対象である。
【０００７】
本発明は、蓋ベースと、この蓋ベースの円周を囲み、アキシャル部を有して軸方向に少なくとも僅かに延びる柔軟なリング部材とを含む、複数の部品で容器を開放可能に塞ぐ蓋を形成するという基本的な考えに基づいている。この場合、柔軟なリング部材は、蓋ベースに取り外し可能にしっかりと嵌め込まれていて、洗浄するためにそこから容易に取り外すことができ、それにより、それ自体をよりいっそう容易に洗浄することができる。
【０００８】
容器に蓋が載置された場合、リング部材は、容器の開口における上側の縁としっかりと接するようになっているのが好ましく、そうすれば、例えば、総金属製の蓋と比べて良好に塞ぐことができるようになる。同時に、容器に蓋を載置した場合に、リング部材のアキシャル部が容器の内壁に接するようになり、それによってもこの領域において一定の密閉効果が得られる。
【０００９】
本発明によれば、更に、リング部材は、少なくともアキシャル部の限られた円周部位に、少なくとも１つの貫通開口を有しており、これは、容器内の液を注ぎ出すための容器の注ぎ縁と一致させることができる。リング部材のアキシャル部における貫通開口の断面の選択により、画定された注ぎ口の断面と、その結果として想定される正確な注ぎ状態を実現することができる。
【００１０】
この場合、特に、異なった大きさの貫通開口をリング部材のアキシャル部における円周部位の複数ヶ所に設けるようにすれば、単に蓋と容器とを相対的に回転させることにより、所望する断面の貫通開口を注ぎ縁と一致させることができ、異なった大きさの注ぎ口の断面を極めて簡単な方法で実現することができる。
【００１１】
本発明の解決手段の有利な改良例によれば、リング部材はポリマー、特にはシリコンを用いて形成する。シリコンは、合成ポリマーの群に含まれるものであり、シリコン原子が酸素原子と結合して分子鎖やネットワークを形成している。シリコンの自由な価電子の残りは、炭化水素ラジカルによって飽和されている。
【００１２】
シリコンは、耐熱性や疎水性、誘電性を有し、通常は無毒と考えられることから、有害な健康への影響の恐れ無しに食材と接することができ、優れた利点を提供する。加えて、シリコンは、人の免疫系がほとんど作用しないという炭素系プラスチックよりも優れた利点がある。シリコンはまた、低コストで実質的にあらゆる形状に形成できるので、製造やコストに関しても優れた利点を提供する。
【００１３】
本発明の解決手段の更なる有利な改良例によれば、リング部材は、円周方向に離れて位置する注ぎ部、特には９０°ずつ離れて位置する注ぎ部を有している。これらは、それぞれが注ぎ縁の大きさに合わせて形成されていて、塞がれた注ぎ部と、小さな貫通開口を有する注ぎ部と、大きな貫通開口を有する注ぎ部と、完全に開かれた注ぎ部とされている。容器に対して蓋を相対的に回転させることにより、４つの異なった注ぎ口の断面が得られる。
【００１４】
その結果、塞がれた注ぎ部を注ぎ縁に一致させると、容器内に溜められた液が注ぎ出るのが阻止される。それに対し、例えば、小さなあるいは大きな孔を有する注ぎ部を注ぎ縁に一致させると、容器内に溜められた液を多量あるいは少量で注ぎ出すことができるようになる。容器に対して蓋を回すことにより、注ぎ口の断面の選択を極めて容易に決定することができる。
【００１５】
本発明の解決手段の更なる有利な改良例によれば、リング部材を囲む支持リング、特に金属製の支持リングは、リング部材の注ぎ部又は断面を表す視認可能な目印を有し、好ましくは、支持リングの目印がリング部材の関連する注ぎ部と半径方向に一致するように、支持リングが位置決めされている。
【００１６】
この場合、人が蓋を使う際、例えば、断面を完全に塞ぐとか開くとか、所望する注ぎ口の断面を得るために、関連する容器のどこに蓋を置くべきかを容易に知ることができる優れた利点がある。目印は、エッチングや彫刻、単なる印刷であってもよい。この前２つの例には、支持リングに目印を永久的に保つことを信頼性をもって確保できる利点がある。
【００１７】
リング部材や支持リングの一例としては、金属を用いて形成することができ、異なった色で形成することができる。従って、好みの異なる蓋や容器のバラエティを得ることができる。特別な効果を得るために、支持リングはまた、例えば、ブラシ仕上げ、特につや消し処理を施した金属表面を有していてもよい。
【００１８】
本発明の更なる重要な特徴や効果は、従属項や図面、図面に基づく図の関連する記載によって示される。
【００１９】
上述した特徴や次に説明する特徴は、それぞれ、特定された組み合わせではなく、本発明の本質から離れることなく、それら自身や他の組み合わせに利用できることは言うまでもない。
【００２０】
むしろ、典型的な本発明の具体例は、図面における表現や次の記述において詳細に説明される。同じ参照符号は、同一、類似あるいは機能的に同一な構成に対応している。
【図面の簡単な説明】
【００２１】
【図１】本発明のリング部材を示す図である。
【図２】本発明のリング部材を有する蓋を斜め上方から示す図である。
【図３】図２を斜め下方から示す図である。
【図４】リング部材を有する蓋の断面図である。
【図５】一部を断面で表した、蓋を有する容器を示す図である。
【発明を実施するための形態】
【００２２】
図１に示すように、柔軟なリング部材１は、リング形状に形成され、上側のラジアル部２と、リング部材１の軸方向に少なくとも僅かに延びるアキシャル部３とを備えている。リング部材１は、容器５（図５参照）との間で蓋４（図２〜図５参照）を少なくとも部分的に密封するように形成されている。本実施形態では特に、容器５は調理用の平鍋として形成されている。柔軟なリング部材１を蓋４の蓋ベース６に結合するために、リング部材１は、半径方向を中心へ向かって開口する溝７を有し、そこに蓋ベース６の外周縁が嵌め込まれている。
【００２３】
通常、リング部材１はプラスチック、特にはシリコンのようなポリマーで形成されており、高度な耐久化と無毒化が施されている。一方、リング部材１によって囲まれる蓋４の蓋ベース６は、ガラスやスチールから形成されており、図２や図３では、ガラスから形成された蓋ベース６を表している。蓋４を持ち上げるために、少なくとも１つの把持部材８が備えられている。把持部材８は、蓋ベース６に取り付けられ、特には取り外し可能に締結されている。
【００２４】
本発明によれば、リング部材１は、少なくともアキシャル部３の限られた円周部位に、少なくとも１つの貫通開口９を有しており、この貫通開口９は、容器５内の液を注ぎ出す、容器５の注ぎ縁１０（図５参照）と一致させることができる。例えば、図１〜図３に示すように、この場合、貫通開口９は、異なった断面を有していてもよく、それらを注ぎ縁１０に一致させたときに、異なった注ぎ口の断面を形成することができる。
【００２５】
好ましくは、リング部材１は、その円周方向に離れて位置する注ぎ部１１〜１４を有している。図１〜図３によれば、これらは、９０°ずつ離れて位置し、それぞれ注ぎ縁１０の大きさに合わせて形成された、塞がれた注ぎ部１１と、小さな貫通開口９を有する注ぎ部１２と、大きな貫通開口９を有する注ぎ部１３と、完全に開かれた注ぎ部１４とされている。
【００２６】
容器５に対して蓋４を回すことにより、異なった注ぎ部１１〜１４を容器５の注ぎ縁１０に一致させることができるので、容器５に対する蓋４の相対的な位置によって異なった注ぎ口の断面を実現することができる。
【００２７】
図２〜図５に示すように、例えば金属を用いて形成され、リング部材１の上側及び外側に取り付けられる、断面Ｌ字形状をした（図４参照）、リング部材１を囲む支持リング１５が備えられている。この場合、支持リング１５は、様々な素材を用いて形成することができ、特に、研磨仕上げ及び／又はブラシ仕上げの金属を用いて形成するのが好ましい。
【００２８】
支持リング１５は、リング部材１の注ぎ部を表す視認可能な目印１６を有している。この場合、目印１６は、エッチングによるなど、支持リング１５から分離不能であるのが好ましい。言うまでもないが、単に印刷などの色付けによって目印１６を支持リング１５に形成することも考えられる。
【００２９】
本実施形態の支持リング１５は、支持リング１５上の目印１６が、リング部材１における関連する注ぎ部１１〜１４と半径方向に一致するように位置決めされている。本発明の蓋４においては、少なくとも蓋ベース６、支持リング１５、リング部材１は互いに分離可能に形成されているので、特に容易かつ衛生的に個々の部材を洗浄することができる点で有利である。
【００３０】
図５を参照すると、半径方向を外側に僅かに屈曲した、容器５の開口の縁部１７の上に、リング部材１のラジアル部２が載っていて、この部分で容器５は少なくとも部分的に密閉されている。加えて、容器５の内側の円周面における少なくとも所定の領域に対し、柔軟なリング部材１のアキシャル部３が接して、付加的に、互いに接する領域に密閉効果が生じるようにしてあってもよい。
【００３１】
図５に示す容器５の場合、角管を用いて形成され、断熱スリーブ１８によって容器５に固定された、側方の把持部材８’を有している。本実施形態の断熱スリーブ１８は、容器５と把持部材８’との間における熱伝導を効果的に妨げるので、容器５が絶えず強く加熱される調理中など、把持部材８’によって容器５を安全に持ち上げることができる。
【００３２】
本実施形態において、図２や図４，図５に示す把持部材８，８’の形状は単なる例示として理解されるべきであり、その他の形状、特に断面形状も本発明に包含されることは言うまでもない。
【００３３】
本発明のリング部材１によれば、特に、蓋４の蓋ベース６からリング部材１が分離可能になっていることから、金属のみで形成された蓋４と比較してよりいっそう容易に洗浄でき、リング部材１に設けられた貫通開口により、調整された量でよりいっそう容易に注ぐことができる。加えて、ほとんど制限無くリング部材１の色を選択できるので、個々に影響を及ぼし合う蓋４と容器５を所望のデザインにすることができ、利用者に対し、可能な限り個別に形成された上品な容器セットを提供することができる。
【００３４】
把持部材８，８’の形状も同様であり、蓋ベース６と容器５とは、本発明の特徴から離れることなく、一例として示された実施形態とは異なったデザインにできることは言うまでもない。例えば、湾曲した蓋ベース６が考えられる。
【符号の説明】
【００３５】
１  柔軟なリング部材
２  上側のラジアル部
３  アキシャル部
４  蓋
５  容器
６  蓋ベース
７  溝
８  把持部材
９  貫通開口
１０  注ぎ縁
１１  塞がれた注ぎ部
１２  小さな貫通開口を有する注ぎ部
１３  大きな貫通開口を有する注ぎ部
１４  開かれた注ぎ部
１５  支持リング
１６  目印
１７  開口の縁部
１８  断熱スリーブ
【図１】
0005441929.tif 000002
【図２】
0005441929.tif 000003
【図３】
0005441929.tif 000004
【図４】
0005441929.tif 000005
【図５】
0005441929.tif 000006